(57)【特許請求の範囲】
【請求項１】
搬送経路に送られる現像済み写真フィルムに対してイオン化した空気を作用させる除電手段と、写真フィルムの表裏両面に付着した塵埃を接触によって取除くよう搬送経路を挟む位置に配置した除去体とを備えて成るフィルムクリーナであって、
本体ケースと、この本体ケースに対して揺動開閉自在に支持した揺動アームとを備え、この揺動アームは、前記写真フィルムの搬送方向と平行する姿勢の軸芯周りでの揺動により前記本体ケースとの間に前記搬送経路を挟み込む閉じ姿勢と、この搬送経路を開放する開放姿勢とに切り換え自在に構成され、この揺動アームを閉じ姿勢に設定した状態で前記本体ケースと前記揺動アームとの対向する位置に前記除去体を互いに接触する位置関係で備え、
前記本体ケースに備えた前記除去体において前記写真フィルムと接触する突出端を、前記搬送経路に対向する前記本体ケースの壁面に近接させ、
前記本体ケースの前記搬送経路に対向する壁面に対して、該本体ケースの内部空間と連通する複数の開口を前記搬送経路と直交する方向に整列して穿設すると共に、前記壁面のうち前記複数の開口が形成された領域を、この壁面の他の領域より凹入する窪み状に形成し、この窪み状の部位の最も深く窪んだ位置に前記開口を配置し、
前記除電手段は、前記本体ケースの内側で前記複数の開口に臨む位置に高電圧印加用の針状の電極を配置し、この本体ケースの内部に前記針状の電極に高電圧を印加する高電圧発生回路を配置して構成されているフィルムクリーナ。
【請求項２】
前記揺動アームを前記閉じ姿勢と開放姿勢とに維持する姿勢保持手段を備え、この姿勢保持手段は、前記揺動アームが前記閉じ姿勢にある状態では、この揺動アームに付勢力を作用させて閉じ姿勢に維持するバネ板を備えている請求項１記載のフィルムクリーナ。
【請求項３】
前記本体ケースが、前記開口を穿設した前記壁面を有するケース部材と、前記高電圧発生回路及び前記針状の電極を備えた底壁部材とで構成され、このケース部材と底壁部材とを重ね合わせることにより、前記開口に臨む位置に前記針状の電極を配置してある請求項１又は２記載のフィルムクリーナ。
【請求項４】
前記除去体が、多数の繊維を束ねて成るブラシで構成されている請求項１〜３のいずれか１項に記載のフィルムクリーナ。
【発明の詳細な説明】
【０００１】
【発明の属する技術分野】
本発明は、搬送経路に送られる現像済み写真フィルムに対してイオン化した空気を作用させる除電手段と、写真フィルムの表裏両面に付着した塵埃を接触によって取除くよう搬送経路を挟む位置に配置した除去体とを備えて成るフィルムクリーナに関する。
【０００２】
【従来の技術】
上記のように構成されたフィルムクリーナに関連する技術として特公昭５５‐２８７５０号公報に示されるものが存在し、この従来の技術では、一対の支持部材を近接配置し、夫々の支持部材の間に２本のベルト状のふき取り布を備え、夫々の間に写真フィルムを通過させることにより、ふき取り布によって写真フィルムの両面のふき取りを行い、又、送風機と、この送風機で送られる空気に対してポロニウム源から発するα粒子を送り空気をイオン化する装置とを備えることにより、写真フィルムに対してイオン化した空気を供給し、写真フィルムの静電荷の除去（除電）を行うものとなっている。
【０００３】
【発明が解決しようとする課題】
ここで、空気をイオン化する装置について考えるに、フィルムクリーナに限らず除電を行うための装置は各種製造されている。その一例として特開平１０‐２８９７９６号公報に示されるものを例に挙げると、この装置は、プラス、マイナス一対の電極に直流の高電圧を印加する、あるいは、単一の電極針に交流の高電圧を印加することにより電極針で発生するイオン化した空気をファンで対象物に吹き付けるよう構成されている。
【０００４】
しかし、ファンを備えてイオン化した空気を送るものでは、ファンを備える必要性から部品数の増大、装置の大型化に繋がるばかりでなく、コストも上昇するものとなり、小型化を必要とするフィルムクリーナには採用し難いものである。又、ＡＰＳフィルム（２４０サイズ）からブローニーフィルム（１２０・２２０サイズ）まで対応するフィルムクリーナを構成しようとした場合には写真フィルムの全幅に亘りできるだけ均一に除電を行う必要もある。
【０００５】
本発明の目的は、大型化を伴うことなく写真フィルムを均一に除電しながら、写真フィルムに付着した塵埃を良好に取り除くフィルムクリーナを合理的に構成する点にある。
【０００６】
【課題を解決するための手段】
本発明の請求項１に係るフィルムクリーナの特徴、作用・効果は次の通りである。
〔特徴〕
搬送経路に送られる現像済み写真フィルムに対してイオン化した空気を作用させる除電手段と、写真フィルムの表裏両面に付着した塵埃を接触によって取除くよう搬送経路を挟む位置に配置した除去体とを備えて成るフィルムクリーナにおいて、本体ケースと、この本体ケースに対して揺動開閉自在に支持した揺動アームとを備え、この揺動アームは、前記写真フィルムの搬送方向と平行する姿勢の軸芯周りでの揺動により前記本体ケースとの間に前記搬送経路を挟み込む閉じ姿勢と、この搬送経路を開放する開放姿勢とに切り換え自在に構成され、この揺動アームを閉じ姿勢に設定した状態で前記本体ケースと前記揺動アームとの対向する位置に前記除去体を互いに接触する位置関係で備え、前記本体ケースに備えた前記除去体において前記写真フィルムと接触する突出端を、前記搬送経路に対向する前記本体ケースの壁面に近接させ、前記本体ケースの前記搬送経路に対向する壁面に対して、該本体ケースの内部空間と連通する複数の開口を前記搬送経路と直交する方向に整列して穿設すると共に、前記壁面のうち前記複数の開口が形成された領域を、この壁面の他の領域より凹入する窪み状に形成し、この窪み状の部位の最も深く窪んだ位置に前記開口を配置し、前記除電手段は、前記本体ケースの内側で前記複数の開口に臨む位置に高電圧印加用の針状の電極を配置し、この本体ケースの内部に前記針状の電極に高電圧を印加する高電圧発生回路を配置して構成されている点にある。
【０００７】
〔作用・効果〕
上記特徴によると、本体ケースと揺動アームとに除去体を備えているので、揺動アームを開放姿勢に設定することにより、夫々の除去体の間に写真フィルムをセットすることが可能となり、また、閉じ姿勢に設定することにより、夫々の除去体を写真フィルムを表裏両面に接触させた状態で挟み込むことが可能となる。また、壁面内に針状の電極を配置してあるので、電極が露出せず、作業者が電極に誤って触れることも、電極を写真フィルムに接触させることも無く、写真フィルムに近い位置で発生させたイオン化された空気を窪み状部位に溜めた状態で写真フィルムに作用させることが可能となる。その結果、写真フィルムのセットが容易で、空気を送るファン等を備えないものでありながら、イオン化した空気を作用させて良好に除電を行うと同時に、写真フィルムに付着した塵埃を除去体で良好に取り除き得るフィルムクリーナが合理的に構成された。
【０００８】
本発明の請求項２に係るフィルムクリーナの特徴、作用・効果は次の通りである。
〔特徴〕
請求項１のフィルムクリーナにおいて、前記揺動アームを前記閉じ姿勢と開放姿勢とに維持する姿勢保持手段を備え、この姿勢保持手段は、前記揺動アームが前記閉じ姿勢にある状態では、この揺動アームに付勢力を作用させて閉じ姿勢に維持するバネ板を備えている点にある。
【０００９】
〔作用・効果〕
上記特徴によると、バネ板からの付勢力によって揺動アームが閉じ姿勢に維持されるので、写真フィルムの移動時にも写真フィルムの表裏に対して除去体を常時接触させて確実な除塵を行える。
【００１０】
本発明の請求項３に係るフィルムクリーナの特徴、作用・効果は次の通りである。
〔特徴〕
請求項１又は２のフィルムクリーナにおいて、前記本体ケースが、前記開口を穿設した前記壁面を有するケース部材と、前記高電圧発生回路及び前記針状の電極を備えた底壁部材とで構成され、このケース部材と底壁部材とを重ね合わせることにより、前記開口に臨む位置に前記針状の電極を配置してある点にある。
【００１１】
〔作用・効果〕
上記特徴によると、ケース部材と底壁部材とを重ね合わせて閉じ状態にすることにより、底壁部材に備えた針状の電極をケース部材の壁面に穿設した開口に臨ませることが可能となる。
【００１４】
本発明の請求項４に係るフィルムクリーナの特徴、作用・効果は次の通りである。
〔特徴〕
請求項１〜３のいずれか１項のフィルムクリーナにおいて、前記除去体が、多数の繊維を束ねて成るブラシで構成されている点にある。
【００１５】
〔作用・効果〕
上記特徴によると、繊維の弾性的な変形によって写真フィルムの表面に接触させて表面に付着した塵埃を拭き取るように除去できる。その結果、除電との組み合わせにより写真フィルムに付着した塵埃を良好に除去できるものとなった。
【００１６】
【発明の実施の形態】
以下、本発明の実施の形態を図面に基づいて説明する。
図２に示すように、本体ケースＣに対して軸芯Ｘ周りで揺動開閉自在に揺動アームＡを備えると共に、本体ケースＣと揺動アームＡとに対し除去体としてブラシＢ、Ｂを備え、本体ケースＣに対して除電手段としてのイオン化システムＩＳ（図６を参照）を内蔵してフィルムクリーナＦＣが構成されている。このフィルムクリーナＦＣは、図１（イ）、（ロ）に示すように、写真フィルム１（以下、フィルムと略称する）の画像情報を取込むスキャナーＳのフィルムキャリア２にフィルム１を送り込む搬送経路Ｆや、投影露光式のプリンターのフィルムキャリアにフィルム１を送り込む搬送経路等の部位に配置することにより、イオン化システムＩＳでイオン化した空気の作用でフィルム１の除電を行って塵埃の取り除きを容易化し、かつ、フィルム１への塵埃の付着を抑制し、又、フィルム１の表裏両面にブラシＢ、Ｂが接触することにより、該フィルム１に付着した塵埃をブラシＢ、Ｂが取り除くよう構成されたものである。
【００１７】
図１（イ）においては、代表的な使用形態としてスキャナーＳを構成するデスク部の縦壁面３に対して該フィルムクリーナＦＣを磁力によって吸着させた形態を示し、この使用形態では、フィルムキャリア２がフィルム１を引き込む力によって１３５サイズや２４０サイズのフィルム１をフィルムクリーナＦＣに通過させるものとなる。又、１２０サイズ、２２０サイズのフィルム１に対応させる場合には、図１（ロ）に示すように棚状に補助テーブル４を横方向に張り出す形態で取付け、この補助テーブル４に対してフィルムクリーナＦＣを磁力によって吸着力させた状態で使用するものとなり、このような形態で使用する場合でも、フィルムキャリア２がフィルム１を引き込む力によってフィルム１をフィルムクリーナＦＣに通過させるものとなる。
【００１８】
以下に、フィルムクリーナＦＣの詳細を説明する。図２〜図７に示すように、本体ケースＣは、搬送経路Ｆと略平行する姿勢の上壁面１１と、一対の側壁面１２、１２と、一対の端壁面１３、１３とを樹脂で一体形成して成るケース部材１０と、イオン化システムＩＳを内蔵する内壁２１を一体形成した樹脂製の底壁部材２０とで構成されている。ケース部材１０の内部には揺動アームＡを支承するため円弧状に切り欠いて支承部１４、１４が一体形成されると共に、揺動アームＡを支持する側の端壁面１３に対して係合孔１３Ａを形成してあり、このケース部材１０の上壁面１１にブラシＢを嵌め込み支持する溝状部１５と、ブラシＢの着脱時に指の挿入を容易にする凹部１６が溝状部１５の端部に連なる状態で形成され、溝状部１５の底面には保持用マグネットＭＣ（永久磁石）を備えている。
【００１９】
溝状部１５は、揺動アームＡに備えるブラシＢと対向する位置に形成してあり、図５、図１０（イ）、（ロ）に示すように、保持用マグネットＭＣは溝状部１５の底部に配置したブラケット５に接着固定され、このブラケット５の両端部にのネジ孔５Ａを形成し、このネジ孔に螺合するビス６を溝状部１５の底部の貫通孔に挿通してある。又、底壁部材２０をケース部材１０に固定した状態でビス６の頭部６Ａが軸方向に隙間無く嵌り込む凹部２２を該底壁部材２０に形成し、この凹部に貫通する調節孔２２Ａを凹部２２に連なる状態で形成してある。又、ビス６のネジ部には樹脂で成る摩擦膜（図示せず）を被覆してあり、ナット部とビス６との螺合面において比較的大きい摩擦力を作用させてビス６の回動操作状態を保持できるよう構成してある。尚、この摩擦膜はナット部のネジ孔の内面に形成することも可能である。
【００２０】
このナット部とビス６とで本体ケースＣに対するブラシＢ（除去体）の姿勢を調節する調節手段が構成され、保持用マグネットＭＣにブラシＢが吸着する状態で調節孔２２Ａにレンチやドライバー等の工具を挿入して何れか一方のビス６を回転操作することで、保持用マグネットＭＣに保持したブラシＢの姿勢を調節して、揺動アームＡに支持したブラシＢとの相対姿勢の調節を行えるものとなり、夫々のビス６、６を等しく回転操作することにより、ブラシＢを平行移動させて揺動アームＡに備えたブラシＢとの間隔の調節を行えるものとなっている。特に、ナット部とビス６との螺合面に摩擦膜を形成してビス６の回転に摩擦力を作用させるので、ダブルナットの構造や専用のロック機構を備えずとも、ビス６を回転させる振動が外部から作用する状況が発生してもビス６が不測に回転してブラシＢの姿勢が変化することや、ブラシＢが平行移動する不都合を阻止するものとなっている。
【００２１】
図８に示すように、底壁部材２０の底面側には４つの接当ゴム２３と、２つの装着用マグネットＭＳ（永久磁石）とを、ブラシＢが配置された側に偏位して備えている。又、図５に示すように、内壁２１のうち、揺動アームＡが支持される側に前記係合孔１３Ａに係入する係合片２４を形成し、この係合片２４の近傍部位には後述する板バネ７の位置を決める押圧片２５を突出してある。装着用マグネットＭＳをブラシＢを備えた側に変位して備えることにより、このフィルムクリーナＦＣを壁面等に磁力の吸着力で備えた場合には、フィルム１から強い張力が作用した場合や、後述するように揺動アームＡを開放方向に操作した場合や、溝状部１５からブラシＢを取出す場合のようにフィルムクリーナＦＣを分離する方向に強い力が作用してもフィルムクリーナＦＣの位置を変動させなくするばかりで無く、このフィルムクリーナＦＣを壁面等から取り外す際に、装着用マグネットＭＳが存在しない側を引く操作で軽く分離させ得るものとなっている。
【００２２】
図５、図６に示すように、ケース部材１０の上壁面１１は、フィルム１の搬送方向と沿う方向視で中央部が僅かに凹入する緩やかな湾曲面に形成され、又、図３に示すように、ケース部材１０の側壁面１２は搬送経路Ｆを送られるフィルム面と直交する方向視で中央部が僅かに凹入する緩やかな湾曲面に形成されている。そして、ケース部材１０にはパイロットランプＰＬの点灯状態を確認するためのランプ孔１７が穿設されている。このようにフィルム１が通過する部位の近傍の平面を湾曲面に形成したことにより、フィルム１の搬送時にはフィルム１の幅方向での端部が本体ケースＣに接触する頻度を高くして画像が形成された部位に対してケース部材１０が接触する不都合を回避して画像を傷付けないように構成している。
【００２３】
図４、図７に示すように、前記揺動アームＡは、断面形状が「コ」字状となるよう樹脂で成型されたアーム体３０を主たる構成部材として用いると共に、このアーム体３０の揺動基端部には前記支承部１４に対して前記軸芯Ｘ周りで回転自在に係合する軸状部３１が一体形成され、この揺動基端部の側の端部には揺動姿勢を決める３つの係合凹部３２が形成されている。又、図５、図７に示すように、ブラシＢを弾性的に抱き込んで保持する金属製のバネ材で成るチャック部材３３を備えた中間部材３４を該アーム体３０の内部にビス３５で固定してあり、アーム体３０の端縁にはブラシＢの着脱時に指を挿入し得る切り欠き部３６が形成されている。更に、アーム体３０の反ブラシ側の外面には３つの樹脂製のローラ３７がアーム体３０の長手方向に沿う姿勢の軸芯Ｙ周りで遊転支承されている。
【００２４】
図５、図９に示すように、３つの係合凹部３２に係脱する突出部７Ａが形成された板バネ７の端部をケース部材１０に係合させた状態で、ケース部材１０と底壁部材２０とを重ね合わせて閉じ状態に設定することにより、底壁部材２０に形成した押圧片２５で板バネ７の端部を押圧する状態で支持する結果、この板バネ７の突出部７Ａが３つの係合凹部３２の何れかに係合可能な状態に達する。そして、揺動アームＡを図５に示すように閉じ姿勢Ｐ０に設定した場合には３つの係合凹部３２のうち緩やかな円弧状となる係合凹部３２に対して板バネ７の突出部７Ａが係入して揺動アームＡに対して閉じ方向への付勢力を作用させるものとなり、揺動アームＡはケース部材１０に形成された開口縁１０Ａに接当して閉じ姿勢が決まる。又、この閉じ姿勢Ｐ０から揺動アームＡの揺動端を開放方向に少し操作した場合には、閉じ姿勢Ｐ０に対応する係合凹部３２に隣接する係合凹部３２に対して板バネ７の突出部７Ａが係入して揺動アームＡは夫々のブラシＢ、Ｂ同士の間にフィルム１の挿抜を可能にするに充分な間隙の第１姿勢Ｐ１に保持される。この状態から更に揺動アームＡの揺動端を開放方向に操作した場合には、次の係合凹部３２に対して板バネ７の突出部７Ａが係入して揺動アームＡは、第１姿勢Ｐ１より大きく揺動した姿勢で、何れのブラシＢとも着脱を可能にする第２姿勢Ｐ２に保持される。
【００２５】
つまり、揺動アームＡに形成した３つの係合凹部３２と、係合凹部３２に係合可能な突出部７Ａが形成された板バネ７とで、揺動アームＡの揺動姿勢を保持する姿勢保持手段が構成され、揺動アームＡを開閉自在に構成することにより、夫々のブラシＢ、Ｂの間にフィルム１をセットする場合や、フィルム１を取出す場合には、揺動アームＡを第１姿勢Ｐ１まで開放操作するだけで、その開放姿勢を保持した状態でフィルム１の挿抜を容易に行え、又、ブラシＢの取換えを行う場合やブラシＢのメンテナンスを行う場合のようにブラシＢの部位を大きく開放する必要がある場合には、揺動アームＡを第２姿勢Ｐ２まで開放操作するだけで、その開放姿勢を保持した状態でブラシＢの取換えやメンテナンスを容易に行えるものにして作業を楽に行えるものとなっている。特に、揺動アームＡを閉じ姿勢Ｐ０に設定した場合には、板バネ７からの付勢力が揺動アームＡを閉じる方向に常時作用して、この揺動アームＡを前述した開口縁１０Ａに接当させる結果、この揺動アームＡを予め決められた閉じ姿勢Ｐ０に精度高く維持できるものとなっている。
【００２６】
前記ローラ３７は、揺動アームＡが閉じ姿勢Ｐ０にある状態で、この部位に対するフィルム１の移動を軽快に行わせるものである。つまり、スキャナーＳでフィルム１の画像情報を取込む際でも、投影露光を行う場合でも、この処理に先立って、フィルムを比較的高速で搬送して画像情報を粗く取込むプレスキャンを行い、この後、フィルム１を逆送しながら、あるいは、フィルム１を戻した後に、再度フィルムを送りながら、スキャニングや投影露光を行う処理が一般的であり、このように、プレスキャンした後にフィルム１がフィルムクリーナＦＣの側に戻された場合には、図１（イ）、（ロ）に仮想線で示す如く、このフィルム１’を揺動アームＡの上面（反本体ケース側）に送ることにより、そのフィルム１’がローラ３７に接触し、このローラ３７が軽く回転してフィルム１’を軽快に送り、作業を円滑に行わせ、フィルム１’を傷める等不都合を発生しないものにしている。
【００２７】
前記ブラシＢは、線径が０．０５５〜０．０６０ｍｍとなるアクリル樹脂の繊維４１の多数本をブローニーサイズのフィルム１の幅より充分に大きい値（７０ｍｍ程度）となるよう直線状に束ね、鉄や鉄合金、あるいは、ニッケルやニッケル合金のように磁性体製の挟持部材４２で基端側を挟み込む形態で固定して成り、この同じ形状のブラシＢを本体ケースＣと、揺動アームＡとに兼用して使用できるよう構成されている。
【００２８】
そして、このブラシＢを本体ケースＣに保持する場合には、ブラシＢをケース部材１０に形成した溝状部１５に挿入するだけで、溝状部１５の底面に備えた保持用マグネットＭＣがブラシＢの挟持部材４２を磁力によって吸着する結果、本体ケースＣにブラシＢを保持できるものとなり、この保持状態ではケース部材１０の上壁面１１よりブラシＢの先端部が僅かに突出する形態となる。又、揺動アームＡにブラシＢを保持する場合には、ブラシＢを揺動アームＡに備えたバネ板材で成るチャック部材３３に対して挿入するだけで、このチャック部材３３がブラシＢをチャッキングして弾性的に支持できるものとなる。尚、本体ケースＣからブラシＢを取り外す場合には凹部１６に指を挿入して摘む形態でブラシＢを抜き出すことで済み、揺動アームＡからブラシＢを取り外す場合には切り欠き部３６に指を挿入して摘む形態でブラシＢを抜き出すことで済む。
【００２９】
図６に示すように、本体ケース１０の揺動アームＡの基端側の端壁面１３には外部の直流電源からの電力を受け入れるコネクタ４７を備えており、前記イオン化システムＩＳは、底壁部材２０の内壁２１に支持された第１プリント基板４０と、この第１プリント基板４０に形成された高電圧発生回路４８と、この高電圧発生回路４８に電力が供給されている際に点灯する発光ダイオードで成るパイロットランプ４３と、第１プリント基板４０と平行する姿勢で支持された一対の第２プリント基板４４、４４と、夫々の第２プリント基板４４、４４に備えられた複数の針状の電極４５とを有すると共に、これらを電極４５の先端部だけを突出させてポッティングする絶縁性の樹脂４６を有して構成されている。
【００３０】
又、このイオン化システムＩＳでは、夫々の電極４５に対して高電圧発生回路４８からプラス、マイナスの高電圧が印加されるものであり、本体ケースＣにおいてブラシＢが配置される位置を挟んだ２箇所の領域に（フィルム１の搬送方向でブラシＢを挟んで上手側位置と下手側位置とに）４つずつの電極４５が配置されている。具体的には、搬送経路に送られるフィルム１の面と平行する仮想平面上で、かつ、フィルム１が送られる方向と直交する方向に直線的に整列した状態で等間隔で夫々の電極４５を備えており、これらの電極４５に対して図３、図６において「＋」の記号と「−」の記号とで示すように、隣合う電極同士、及び、ブラシＢを挟んで隣合う電極同士が異なる極性に設定されている。
【００３１】
又、夫々の電極４５と対応する位置のケース部材１０の上壁面１１には８つの円形の開口１８が穿設され、搬送経路Ｆを搬送されるフィルム面と直交する方向視で開口１８の中央位置に電極４５を配置してある。ケース部材１０の上壁面１１のうち、溝状部１５を挟んで配置される８つの開口１８は上壁面１１の表面に浅く形成された窪み状部１１Ａに配置され、溝状部１５を挟んで配置される８つの電極４５は、夫々の突出側の端部同士を結ぶ仮想直線Ｌがケース部材１０と重複しないように、相対的な位置関係が設定されている。つまり、夫々の電極４５の突出側の端部同士を結ぶ仮想直線Ｌと、開口１８のスカート部１８Ａとが交わらないように相対的な位置関係を設定することにより、夫々の電極４５の突出側の端部同士の間に他の部材を介在させること無く直接的に電界を作用させ得るように構成してある。
【００３２】
又、このように複数の開口１８を窪み状部１１Ａに形成することにより、開口１８から壁面の外方に送り出されたイオン化した空気を、窪み状部１１Ａの部位に留めることが可能となるばかりか、夫々の電極４５の間に生ずる電界を窪み状部１１Ａに形成された部位の空間に対して強く作用させ、この窪み状部１１Ａの部位で空気をイオン化することも可能となり、この窪み状部１１Ａの空間で高いイオン密度となるイオン化した空気をフィルム１に作用させて良好な除電を行えるものとなっている。
【００３３】
このイオン化システムＩＳは、プラス（＋）の電極４５とマイナス（−）の電極４５との間にプラスマイナス３５００ボルトの電圧を印加することにより隣合う電極４５の間に７０００ボルトの電位差を設定してある。これによりプラス（＋）の電極４５とマイナス（−）の電極４５との間に強い電界が形成され、電極に接触した空気がプラス（＋）とマイナス（−）とのイオンに分離して夫々の開口１８から搬送経路Ｆの側に放出され、この搬送経路Ｆに存在するフィルム１が静電気により帯電していた場合には、イオン化した空気と接触することにより帯電が解消され（除電され）、静電気によって付着していた塵埃をブラシＢによって容易に取り除き得るものとなり、しかも、この後に塵埃の付着を抑制するものとなる。
【００３４】
このように構成されたので、このフィルムクリーナＦＣを使用する際には、前述したようにスキャナーや投影露光式のプリンターのフィルムキャリアにフィルム１を送る搬送経路Ｆに位置を設定し、装着用マグネットＭＳの吸着力を利用して、該フィルムクリーナＦＣを固定し、揺動アームＡを第１姿勢Ｐ１、あるいは、第２姿勢Ｐ２まで開放してフィルム１をブラシＢ、Ｂの間にセットした後に揺動アームＡを閉じ姿勢Ｐ０に設定する。この状態でフィルム１のスキャナーＳでのスキャニングを開始することや、投影露光に先立ってスキャニングを行うことにより、フィルム１がフィルムキャリアに引き込まれる力によって、フィルムクリーナＦＣをフィルム１が通過するものとなる。このように、フィルム１がフィルムクリーナＦＣを通過する際には、イオン化システムＩＳによってイオン化した空気がフィルム１に作用することで、フィルム１の除電を行うので、塵埃の取り除きを容易にすると同時に、塵埃の付着を抑制し、又、フィルム１の表裏両面にブラシＢ、Ｂが接触することにより、該フィルム１に付着した塵埃をブラシが取り除くものとなっている。
【００３５】
特に、本発明では、フィルム１の面と平行する仮想平面上にフィルム１の搬送方向と直交する方向に複数の電極４５を整列状態で配置し、かつ、フィルム面と直交する方向に複数の電極４５の突出方向を設定しているので、フィルム１の幅方向に偏りなくイオン化した空気を作用させて偏りの無い除電を行うと共に、イオン化した空気をフィルム１に近い位置で発生させて直接的に作用させるので、良好な除電を行えるものとなっており、ブラシＢでの塵埃の取り除きにと併用することで、清浄化したフィルム１のスキャニングや、投影露光を可能にするものとなっている。
【００３６】
〔別実施の形態〕
本発明は上記実施の形態以外に、例えば、除去体として柔軟な布や不織布を用いることが可能である。
【図面の簡単な説明】
【図１】スキャナーに対してフィルムクリーナを備えた状態の２形態を示す図
【図２】フィルムクリーナの実施形態を示す斜視図
【図３】フィルムクリーナの平面図
【図４】フィルムクリーナの分解斜視図
【図５】フィルムクリーナの縦断面図
【図６】イオン化システムの領域を示す部分縦断面図
【図７】フィルムクリーナの横断面図
【図８】フィルムクリーナの底面図
【図９】揺動アームの複数の揺動位置を示す側面図
【図１０】保持用マグネットの位置を調節した状態の２形態を示す断面図
【符号の説明】
１              写真フィルム
１８            開口
４１            繊維
４５            電極
４８            高電圧発生回路
Ａ              揺動アーム
Ｂ              除去体・ブラシ
Ｃ              本体ケース
Ｆ              搬送経路
Ｌ              仮想直線
ＩＳ            除電手段
【図１】
0003957463.tif 000002
【図２】
0003957463.tif 000003
【図３】
0003957463.tif 000004
【図４】
0003957463.tif 000005
【図５】
0003957463.tif 000006
【図６】
0003957463.tif 000007
【図７】
0003957463.tif 000008
【図８】
0003957463.tif 000009
【図９】
0003957463.tif 000010
【図１０】
0003957463.tif 000011